Podtech/llm-jp-corpus-v4-ja_patent huggingface dataset:
【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
以下の成分を含有するホットメルト接着剤：
・１０〜８０重量％の、メタロセン触媒の重合によって得られるエチレンおよび／またはプロピレンとＣ４〜Ｃ２０α-オレフィンに基づく少なくとも１つのコポリマー；
・５〜６０重量％の、少なくとも１つの粘着付与樹脂；
・０.１〜１５重量％の、Ｃ２〜Ｃ５オレフィンおよび(メタ)アクリル酸エステルに基づく少なくとも１つの重合体であって、ＣＯＯＨ基または無水基を含み、０.１〜７.５重量％のα,β-不飽和モノもしくはジカルボン酸またはその無水物を含有する重合体；
・０〜４５重量％の添加剤。
【請求項２】
Ｃ２〜Ｃ５オレフィン／(メタ)アクリル酸エステルの重合体が、０.２〜５重量％のα,β-不飽和カルボン酸またはその無水物を含むターポリマーである請求項１に記載のホットメルト接着剤。
【請求項３】
ターポリマーが、(メタ)アクリル酸、クロトン酸、イタコン酸、マレイン酸、フマル酸、マレイン酸もしくはフマル酸とＣ１〜Ｃ８アルカノールとのモノエステル、シトラコン酸、またはこれらの無水物から選択されるモノマーを含有する請求項２に記載のホットメルト接着剤。
【請求項４】
Ｃ２〜Ｃ５オレフィン／(メタ)アクリル酸エステルに基づく重合体が、１０００〜２５,０００ｇ／モルの分子量を有する請求項１〜３のいずれかに記載のホットメルト接着剤。
【請求項５】
重合体が１〜１０重量％で含まれる請求項１〜４のいずれかに記載のホットメルト接着剤。
【請求項６】
エチレン／プロピレンに基づくコポリマーが、１０〜６０重量％で含まれ、１５００〜５０,０００の分子量(Ｍｎ)を有する請求項１〜５のいずれかに記載のホットメルト接着剤。
【請求項７】
５〜３０％のワックスを添加剤として含有する請求項１〜６のいずれかに記載のホットメルト接着剤。
【請求項８】
０.１〜２５重量％の弾性熱可塑性ポリマーをさらに含有する請求項１〜７のいずれかに記載のホットメルト接着剤。
【請求項９】
仕上げ表面、例えばプラスチックおよび金属被覆、撥グリース物質による処理、またはワニスを有する基材の接着結合のための、請求項１〜８のいずれかに記載のホットメルト接着剤の使用。
【請求項１０】
パッケージおよび板紙物品の接着結合のための、請求項９に記載のホットメルト接着剤の使用。
【請求項１１】
パッケージへのプラスチック造形部品の接着結合のための、請求項９に記載のホットメルト接着剤の使用。
【手続補正２】
【補正対象書類名】明細書
【補正対象項目名】００４４
【補正方法】変更
【補正の内容】
【００４４】
試験方法：
粘度：表示した温度において；ブルックフィールド・サーモセル(Brookfield Thermosel)、スピンドル２７。
開放時間：ドクターブレードを用いて１７０℃で接着剤ストリップを塗布し、連続した時間間隔で、軽い圧力下に紙ストリップを被覆した。これらを引き剥がし、接着結合がもはや不可能になる時間を測定した。
相溶性：１７０℃で透明な溶融物。
溶融安定性：１７０℃で７５時間後に相分離がないこと。
接着性：− 欠陥接着(接着破壊)；＋ 良好な接着；○ 十分な接着；表示した条件下で、２つの基材ストリップを互いに接着結合し、２５℃または−１０℃で３日間保存した；次いで、表示した温度で試料の接着性を試験した。
本明細書の当初の開示は、少なくとも下記の態様を包含する。
〔１〕  以下の成分を含有するホットメルト接着剤：
・１０〜８０重量％の、メタロセン触媒の重合によって得られるエチレンおよび／またはプロピレンとＣ４〜Ｃ２０α-オレフィンに基づく少なくとも１つのコポリマー；
・５〜６０重量％の、少なくとも１つの粘着付与樹脂；
・０.１〜１５重量％の、Ｃ２〜Ｃ５オレフィンおよび(メタ)アクリル酸エステルに基づくＣＯＯＨ基または無水基を含む少なくとも１つの重合体；
・０〜４５重量％の添加剤。
〔２〕  Ｃ２〜Ｃ５オレフィン／(メタ)アクリル酸エステルの重合体が、α,β-不飽和カルボン酸またはその無水物を含むターポリマーである〔１〕に記載のホットメルト接着剤。
〔３〕  ターポリマーが、０.１〜７.５重量％、特に０.２〜５重量％のα,β-不飽和モノもしくはジカルボン酸またはその無水物を含有する〔２〕に記載のホットメルト接着剤。
〔４〕  ターポリマーが、(メタ)アクリル酸、クロトン酸、イタコン酸、マレイン酸、フマル酸、マレイン酸もしくはフマル酸とＣ１〜Ｃ８アルカノールとのモノエステル、シトラコン酸、またはこれらの無水物から選択されるモノマーを含有する〔３〕に記載のホットメルト接着剤。
〔５〕  Ｃ２〜Ｃ５オレフィン／(メタ)アクリル酸エステルに基づく重合体が、１０００〜２５,０００ｇ／モルの分子量を有する〔１〕〜〔４〕のいずれかに記載のホットメルト接着剤。
〔６〕  重合体が１〜１０重量％で含まれる〔１〕〜〔５〕のいずれかに記載のホットメルト接着剤。
〔７〕  エチレン／プロピレンに基づくコポリマーが、１０〜６０重量％で含まれ、１５００〜５０,０００の分子量(Ｍｎ)を有する〔１〕〜〔６〕のいずれかに記載のホットメルト接着剤。
〔８〕  ５〜３０％のワックスを添加剤として含有する〔１〕〜〔７〕のいずれかに記載のホットメルト接着剤。
〔９〕  ０.１〜２５重量％の弾性熱可塑性ポリマーをさらに含有する〔１〕〜〔８〕のいずれかに記載のホットメルト接着剤。
〔１０〕  仕上げ表面、例えばプラスチックおよび金属被覆、撥グリース物質による処理、またはワニスを有する基材の接着結合のための、〔１〕〜〔９〕のいずれかに記載のホットメルト接着剤の使用。
〔１１〕  パッケージおよび板紙物品の接着結合のための、〔１０〕に記載のホットメルト接着剤の使用。
〔１２〕  パッケージへのプラスチック造形部品の接着結合のための、〔１０〕に記載のホットメルト接着剤の使用。
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
半流動性マトリックス中に触媒粒子を分散させた形態のオレフィン重合用触媒組成物の製造法であって、当該方法は、
ａ）  乾燥触媒粉末を連続攪拌しながら油を含有するタンク中に装入することにより油中触媒粒子の懸濁物を形成する工程、ここで、油界面１ｍ２当たり、触媒粉末の装入速度が８００ｋｇ／ｈ＊ｍ２未満である；
ｂ）  前記懸濁物との接触時に増粘剤が凝固するような温度に油中触媒懸濁物を維持しながら、攪拌下、３０〜７０℃の範囲の融点を有する溶融増粘剤を添加する工程
を含むことを特徴とする、オレフィン重合用触媒組成物の製造法。
【請求項２】
前記工程ａ）の触媒粉末の装入速度が２００〜５００ｋｇ／ｈ＊ｍ２の範囲である、請求項１に記載の方法。
【請求項３】
前記工程ａ）の装入速度をＬ−バルブにより調整する、請求項１に記載の方法。
【請求項４】
前記工程ａ）の油中触媒懸濁物の形成を、連続攪拌下、不活性雰囲気下で６０〜９０℃の範囲の温度に維持することにより行う、請求項１〜３のいずれかに記載の方法。
【請求項５】
前記工程ａ）において、８０ｇ／ｌ〜５００ｇ／ｌの範囲の固体濃度で油中触媒粒子の懸濁物を形成する、請求項１に記載の方法。
【請求項６】
前記油を鉱油又は合成油から選択する、請求項１〜５のいずれかに記載の方法。
【請求項７】
前記油がパラフィン白油である、請求項６に記載の方法。
【請求項８】
前記油の１００℃における動粘度が１〜１２センチポアズ（ｃＰｓ）である、請求項６又は７に記載の方法。
【請求項９】
前記工程ａ）のタンクに導入する触媒粒子がハロゲン化マグネシウムに担持させたハロゲン化チタンを基礎とするチグラー・ナッタ触媒である、請求項１に記載の方法。
【請求項１０】
前記工程ｂ）の溶融増粘剤を、３０〜７０℃の範囲の融点を有するペテロラタム、又はワックスから選択する、請求項１に記載の方法。
【請求項１１】
前記溶融増粘剤をパラフィンワックスから選択する、請求項１０に記載の方法。
【請求項１２】
前記増粘剤を、７５℃〜１１０℃の範囲の供給温度で触媒／油懸濁物を含有するタンク中に供給する、請求項１に記載の方法。
【請求項１３】
工程ｂ）の間、油中触媒懸濁物を維持する温度が２℃〜２５℃の範囲である、請求項１〜１２のいずれかに記載の方法。
【請求項１４】
前記増粘剤と、油及び増粘剤の総量との間の重量比が、０．１５〜０．５である、請求項１に記載の方法。
【請求項１５】
５０〜５００ｇ／ｌの間の触媒濃度を持つ触媒ペーストを工程ｂ）より得る、請求項１〜１４のいずれかに記載の方法。
【請求項１６】
固体重合触媒の共存下で実施するオレフィン類の重合方法であって、前記固体重合触媒を下記の工程により処理し重合反応器に移送することを特徴とし、当該工程が、
ａ）  乾燥触媒粉末を連続攪拌しながら油を含有するタンク中に装入することにより、油中触媒粒子の懸濁物を形成すること、ここで、油界面１ｍ２当たり、触媒粉末の装入速度が８００ｋｇ／ｈ＊ｍ２未満であり；
ｂ）  ３０〜７０℃の範囲の融点を持つ溶融増粘剤を攪拌下に加え、同時に、当該増粘剤が前記懸濁物と接触すると凝固するような温度に油中触媒懸濁物を維持し；
ｃ）  工程ｂ）から来る触媒ペーストを、不活性炭化水素溶媒、場合により、電子供与体化合物の共存下で、５℃〜３０℃の温度で有機アルミニウム化合物と接触させること；
ｄ）  式ＣＨ２＝ＣＨＲ（式中、Ｒは水素又は１〜１２個の炭素原子を有する炭化水素基である）の１種以上のα−オレフィン類を、１基以上の重合反応器中で工程ｃ）から来る触媒の共存下で重合すること
の各工程である、オレフィン類の重合方法。
【請求項１７】
前記重合触媒が、ハロゲン化マグネシウムに担持させたチタン化合物に基づく固体触媒成分である、請求項１６に記載の方法。
【請求項１８】
触媒ペーストを工程ｂ）から計量シリンジにより引き抜き、縦に並んだ２基の計量シリンジの作用により工程ｃ）の活性化タンク中に移送、計量する、請求項１６に記載の方法。
【請求項１９】
前記工程ｃ）の不活性炭化水素がＣ３〜Ｃ６アルカンである、請求項１６の方法。
【請求項２０】
工程ｃ）から引き抜く触媒をループ反応器中で予備重合に付してから工程ｄ）に供給する、請求項１６に記載の方法。
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
１〜４重量％のプロピレン誘導単位の含量を有し、結晶質ポリマーの少なくとも５０％が、室温において最初の溶融の１００時間後に熱力学的に安定な三方晶形態Ｉで存在する（ＤＳＣ分析によって検出）１−ブテン／プロピレンコポリマー組成物であって、
該組成物が、
（ａ）以下の特徴：
（ｉ）４以下の分子量分布Ｍｗ／Ｍｎ；
（ｉｉ）１３Ｃ−ＮＭＲによって測定して１０％〜４０％の範囲のｒｒトライアド；
（ｉｉｉ）示差走査熱量計（ＤＳＣ）で検出できる融解エンタルピーを有しない；及び
（ｉｖ）０．５％より低い赤外結晶化度；
を有するアタクチック１−ブテンプロピレンコポリマー５重量％〜９５重量％；
（ｂ）以下の特徴：
（ｉ）１３Ｃ−ＮＭＲによって測定して８０％より高いアイソタクチックペンタド（ｍｍｍｍ）；
（ｉｉ）７０℃より高い融点（Ｔｍ（ＩＩ）形態ＩＩ）；及び
（ｉｉｉ）４以下の分子量分布Ｍｗ／Ｍｎ；
を有するアイソタクチック１−ブテンプロピレンコポリマー５重量％〜９５重量％；
を含む、上記組成物。
【請求項２】
成分（ａ）において、１３Ｃ−ＮＭＲによって測定したｒｒトライアドが好ましくは１０％〜４０％の範囲であり、１３５℃においてテトラヒドロナフタレン（ＴＨＮ）中で測定した固有粘度（ＩＶ）が好ましくは１．０ｄＬ／ｇ〜５．０ｇ／Ｌの範囲である、請求項１に記載の１−ブテン／プロピレンコポリマー組成物。
【請求項３】
成分（ｂ）が、好ましくは１３Ｃ−ＮＭＲによって測定して８５％より高いアイソタクチックペンタド（ｍｍｍｍ）を有する、請求項１又は２に記載の１−ブテン／プロピレンコポリマー組成物。
【請求項４】
プロピレン誘導単位が１〜４．５％の範囲である、請求項１〜３のいずれかに記載の１−ブテン／プロピレンコポリマー組成物。
【請求項５】
成分（ｂ）の融点が８０℃〜１２０℃の範囲である、請求項１〜４のいずれかに記載の１−ブテン／プロピレンコポリマー組成物。
【請求項６】
成分（ｂ）の１３５℃においてテトラヒドロナフタレン（ＴＨＮ）中で測定した固有粘度（ＩＶ）が１．０ｄＬ／ｇ〜３．０ｄＬ／ｇの範囲である、請求項１〜５のいずれかに記載の１−ブテン／プロピレンコポリマー組成物。
【請求項７】
成分（ａ）の固有粘度（ＩＶ）が、成分（ｂ）の固有粘度の７０％以上である、請求項１〜６のいずれかに記載の１−ブテン／プロピレンコポリマー組成物。
【請求項８】
コポリマーの少なくとも５０％が、室温において７５時間のアニーリングの後に形態Ｉで存在する、請求項１〜７のいずれかに記載の１−ブテン／プロピレンコポリマー組成物。
【請求項９】
（ａ）少なくとも１種類の、メソ又はメソ様形態の式（Ｉａ）のメタロセン化合物：
【化１】
2010501700.tif 000001
（式中、
Ｍは、元素周期律表の第３、４、５、６族、又はランタニド族若しくはアクチニド族に属するものから選択される遷移金属の原子であり；
ｐは、０〜３の整数であり、金属Ｍの形式酸化数マイナス２に等しく；
Ｘは、同一か又は異なり、水素原子、ハロゲン原子、或いは、Ｒ、ＯＲ、ＯＳＯ２ＣＦ３、ＯＣＯＲ、ＳＲ、ＮＲ２、又はＰＲ２基であり、ここで、Ｒは、場合によっては元素周期律表の第１３〜１７族に属するヘテロ原子を有する、線状又は分岐で環式又は非環式の、Ｃ１〜Ｃ４０アルキル、Ｃ２〜Ｃ４０アルケニル、Ｃ２〜Ｃ４０アルキニル、Ｃ６〜Ｃ４０アリール、Ｃ７〜Ｃ４０アルキルアリール、又はＣ７〜Ｃ４０アリールアルキル基であり；或いは２つのＸは、場合によっては置換又は非置換のブタジエニル基或いはＯＲ’Ｏ基を形成してもよく、ここで、Ｒ’は、Ｃ１〜Ｃ４０アルキリデン、Ｃ６〜Ｃ４０アリーリデン、Ｃ７〜Ｃ４０アルキルアリーリデン、及びＣ７〜Ｃ４０アリールアルキリデン基から選択される２価の基であり；
Ｌは、場合によっては元素周期律表の第１３〜１７族に属するヘテロ原子を有する２価のＣ１〜Ｃ４０炭化水素基であるか、或いは５個以下のケイ素原子を有する２価のシリレン基であり；
Ｒ１及びＲ２は、互いに同一か又は異なり、場合によっては元素周期律表の第１３〜１７族に属するヘテロ原子を有するＣ１〜Ｃ４０炭化水素基であり；
Ｔは、互いに同一か又は異なり、式（ＩＩａ）、（ＩＩｂ）、又は（ＩＩｃ）：
【化２】
2010501700.tif 000002
（式中、記号＊で示される原子は、式（Ｉａ）の化合物中の同じ記号で示される原子と結合し； 
Ｒ３は、場合によっては元素周期律表の第１３〜１７族に属するヘテロ原子を有するＣ１〜Ｃ４０炭化水素基であり；
Ｒ４及びＲ６は、互いに同一か又は異なり、水素原子、或いは、場合によっては元素周期律表の第１３〜１７族に属するヘテロ原子を有するＣ１〜Ｃ４０炭化水素基であり；
Ｒ５は、場合によっては元素周期律表の第１３〜１７族に属するヘテロ原子を有するＣ１〜Ｃ４０炭化水素基であり；
Ｒ７及びＲ８は、互いに同一か又は異なり、水素原子、或いは、場合によっては元素周期律表の第１３〜１７族に属するヘテロ原子を有するＣ１〜Ｃ４０炭化水素基である）
の部分である）；
（ｂ）少なくとも１種類の、ラセミ（ｒａｃ）又はラセミ様形態の式（Ｉｂ）のメタロセン化合物：
【化３】
2010501700.tif 000003
（式中、Ｒ１、Ｒ２、Ｔ、Ｌ、Ｍ、Ｘ、及びｐは上記に記載した通りであり；記号＊で示される原子は、式（ＩＩａ）、（ＩＩｂ）、又は（ＩＩｃ）の部分中の同じ記号で示される原子と結合している）；及び
（ｃ）アルモキサン、又はアルキルメタロセンカチオンを形成することのできる化合物；
を接触させることによって得られる触媒系の存在下で１−ブテン及びプロピレンを重合する工程を含む、請求項１〜８のいずれかに記載の１−ブテン／プロピレンコポリマー組成物の製造方法。
【請求項１０】
ラセミ又はラセミ様形態（式（Ｉｂ）の化合物）とメソ形態又はメソ様形態（式（Ｉａ）の化合物）との間の比が１０：９０〜９０：１０の範囲である、請求項９に記載の方法。
【請求項１１】
式（Ｉａ）及び（Ｉｂ）の化合物が、それぞれ式（Ｖａ）又は（Ｖｂ）：
【化４】
2010501700.tif 000004
（式中、Ｍ、Ｘ、ｐ、Ｌ、Ｒ１、Ｒ２、Ｒ７、及びＲ８は、請求項１に記載した意味を有する）
を有する、請求項９又は１０に記載の方法。
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
血糖代謝異常、耐糖能異常、空腹時高血糖又は糖尿病の患者に、該患者におけるグルコースレベルを低減するために充分な期間の間投与することにより、患者のグルコースレベルを低下させるための治療有効量のラミプリル又はその薬学的に許容しうる塩を含有する医薬。
【請求項２】
患者が心血管疾患の病歴を有していない、請求項１に記載の医薬。
【請求項３】
グルコースレベルが空腹時血漿グルコースレベルである、請求項１に記載の医薬。
【請求項４】
グルコースレベルが負荷２時間後のグルコースレベルである、請求項１に記載の医薬。
【請求項５】
グルコースレベルを、正常グルコースレベルまで低下させる、請求項１に記載の医薬。
【請求項６】
グルコースレベルを空腹時正常血漿レベルまで低下させる、請求項１に記載の医薬。
【請求項７】
グルコースレベルを負荷２時間後正常グルコースレベルまで低下させる、請求項１に記載の医薬。
【請求項８】
ラミプリルの治療有効量が1.25mg／日から20mg／日の間である、請求項１に記載の医薬。
【請求項９】
ラミプリルが経口投与される、請求項１に記載の医薬。
【請求項１０】
ラミプリルがカプセル剤又は錠剤で投与される、請求項１に記載の医薬。
【請求項１１】
血糖代謝異常、耐糖能異常、空腹時高血糖又は糖尿病の患者に、該障害を予防するか又は該障害の頻度を低減するために充分な期間の間投与することにより、上昇したグルコースレベルに関連する障害の頻度を低減するか該障害を予防するための治療有効量のラミプ
リル又はその薬学的に許容しうる塩を含有する医薬。
【請求項１２】
患者が心血管疾患の病歴を有していない、請求項１１に記載の医薬。
【請求項１３】
障害が心血管事象または腎臓事象である、請求項１１に記載の医薬。
【請求項１４】
心血管事象が、心筋梗塞、脳卒中、心血管関連死、心不全、アンギナ、血管再生、心室性不整脈、急性先天性心疾患 虚血又は心房性頻拍性不整脈である、請求項１３に記載の医薬。
【請求項１５】
腎臓事象がネフロパシー又は腎不全である、請求項１３に記載の医薬。
【請求項１６】
障害が眼の合併症又は切断である、請求項１１に記載の医薬。
【請求項１７】
障害が肝炎である、請求項１１に記載の医薬。
【請求項１８】
肝炎がALTレベルを測定することにより診断される、請求項１７に記載の医薬。
【請求項１９】
ALTレベルが低減される、請求項１７に記載の医薬。
【請求項２０】
耐糖能異常若しくは空腹時高血糖、又は耐糖能異常及び空腹時高血糖の両方と診断された患者に、５年又はそれ以上の期間投与することにより、患者の糖尿病を予防するための治療有効量のラミプリルを含有する医薬。
【手続補正書】
【提出日】平成22年8月4日(2010.8.4)
【手続補正１】
【補正対象書類名】明細書
【補正対象項目名】発明の名称
【補正方法】変更
【補正の内容】
【発明の名称】マイコバクテリア感染治療用医薬の製造におけるシクリポスチンの使用
【手続補正２】
【補正対象書類名】特許請求の範囲
【補正対象項目名】全文
【補正方法】変更
【補正の内容】
【特許請求の範囲】
【請求項１】
マイコバクテリア及び関連微生物によって引き起こされる細菌感染の治療のための医薬の製造における任意の立体化学形態、又は任意の比率の任意の立体化学形態の混合物の、式（Ｉ）
【化１】
2010501603.tif 000001
の化合物、又はそれらの生理学的に許容される塩若しくは化学的均等物の使用。
式中、
Ｒ1は、
１．直鎖又は分枝鎖、飽和又は不飽和、炭素環式又はヘテロ環式であり得る、２〜３０個の炭素原子を有する炭素鎖であって、該炭素鎖が、以下：
１．１  ＯＨ、
１．２  ＝Ｏ、
１．３  Ｏ−（Ｃ1−Ｃ6）アルキル、ここでアルキルは直鎖又は分枝鎖である、
１．４  Ｏ−（Ｃ2−Ｃ6）アルケニル、ここでアルケニルは直鎖又は分枝鎖である、
１．５  （Ｃ1−Ｃ6）アルキル、ここでアルキルは直鎖又は分枝鎖である、
１．６  アリール、
１．７  （Ｃ1−Ｃ6）アルキレン−ベンゼン、
１．８  ジフェニル、
１．９  ＮＨ−（Ｃ1−Ｃ6）アルキル、ここでアルキルは直鎖又は分枝鎖である、
１．１０  ＮＨ−（Ｃ2−Ｃ6）アルケニル、ここでアルケニルは直鎖又は分枝鎖である、
１．１１  ＮＨ2、
１．１２  ＝Ｓ、
１．１３  Ｓ−（Ｃ1−Ｃ6）アルキル、ここでアルキルは直鎖又は分枝鎖である、
１．１４  Ｓ−（Ｃ2−Ｃ6）アルケニル、ここでアルケニルは直鎖又は分枝鎖である、及び
１．１５  ハロゲン、
より選択される基によって任意で一又は二置換されている炭素鎖、又は、
２．［アリール−（ＣＨ2）n］m、ここで、［アリール−（ＣＨ2）n］mは非置換であるか又は１．１〜１．１５に記載の基によって一若しくは二置換されており、ｎ及びｍは、互いに独立して、０、１、２、又は３より選択される整数である、
であり；
Ｒ2は、
１．（Ｃ1−Ｃ6）アルキル、ここでアルキルは、非置換であるか又は１．１〜１．１５に記載の基によって一若しくは二置換されている、
２．（Ｃ2−Ｃ6）アルケニル、ここでアルケニルは、非置換であるか又は１．１〜１．１５に記載の基によって一若しくは二置換されている、又は
３．（Ｃ2−Ｃ6）アルキニル、ここでアルキニルは、非置換であるか又は１．１〜１．１５に記載の基によって一若しくは二置換されている、
であり；
Ｅは、リン（Ｐ）又は硫黄（Ｓ）原子であり；かつ
Ｘ1、Ｘ2、及びＸ3は、各々、独立して、Ｏ、ＮＨ、−Ｎ＝、Ｓ、ＣＨ2、及びＣＨＲより選択される。
【請求項２】
式（Ｉ）の化合物が、式（Ｉ’）
【化２】
2010501603.tif 000002
の化合物を特徴とし、式中、Ｒ1及びＲ2は、請求項１に定義される通りである、請求項１に記載の式（Ｉ）の化合物の使用。
【請求項３】
式（Ｉ）の化合物が、任意の立体化学形態、又は任意の比率の任意の立体化学形態の混合物の、以下の群：
式（ＩＩ）のシクリポスチンＡ
【化３】
2010501603.tif 000003
式（ＩＩ−Ａ）のシクリポスチンＡ２
【化４】
2010501603.tif 000004
式（ＩＩＩ）のシクリポスチンＢ
【化５】
2010501603.tif 000005
式（ＩＶ）のシクリポスチンＣ
【化６】
2010501603.tif 000006
式（Ｖ）のシクリポスチンＤ
【化７】
2010501603.tif 000007
式（ＶＩ）のシクリポスチンＥ
【化８】
2010501603.tif 000008
式（ＶＩＩ）のシクリポスチンＦ
【化９】
2010501603.tif 000009
式（ＶＩＩＩ）のシクリポスチンＧ
【化１０】
2010501603.tif 000010
式（ＩＸ）のシクリポスチンＨ
【化１１】
2010501603.tif 000011
式（Ｘ）のシクリポスチンＮ
【化１２】
2010501603.tif 000012
式（ＸＩ）のシクリポスチンＰ
【化１３】
2010501603.tif 000013
式（ＸＩ−Ａ）のシクリポスチンＰ２
【化１４】
2010501603.tif 000014
式（ＸＩＩ）のシクリポスチンＱ
【化１５】
2010501603.tif 000015
式（ＸＩＩＩ）のシクリポスチンＲ
【化１６】
2010501603.tif 000016
式（ＸＩＩＩ−Ａ）のシクリポスチンＲ２
【化１７】
2010501603.tif 000017
式（ＸＩＶ）のシクリポスチンＳ
【化１８】
2010501603.tif 000018
式（ＸＶ）のシクリポスチンＴ
【化１９】
2010501603.tif 000019
及び
式（ＸＶ−Ａ）のシクリポスチンＴ２
【化２０】
2010501603.tif 000020
より選択される、請求項１又は２に記載の式（Ｉ）の化合物又はそれらの生理学的に許容される塩若しくは化学的均等物の使用。
【請求項４】
式（Ｉ）の化合物が、シクリポスチンＰ、シクリポスチンＲ、シクリポスチンＴ及びシクリポスチンＴ２の群より選択される、請求項１〜３のいずれか１項に記載の式（Ｉ）の化合物の使用。
【請求項５】
結核、らい、ノカルジア症、ジフテリア、肺マイコバクテリア感染、皮膚マイコバクテリア感染、非定型マイコバクテリア感染及びマイコバクテリア症の治療のための、請求項１〜４のいずれか１項に記載の式（Ｉ）の化合物の使用。
【請求項６】
マイコバクテリウム・スメグマチス、マイコバクテリウム・フレイ、ノカルジア・ブラシリエンシス、ノカルジア・アブセッサス及びコリネバクテリウム・ジフテリエの群より選択されるマイコバクテリア及び関連微生物によって引き起こされる細菌感染の治療用の医薬の製造のための、請求項１〜４のいずれか１項に記載の式（Ｉ）の化合物の使用。
【請求項７】
結核、らい、ノカルジア症、ジフテリア、肺マイコバクテリア感染、皮膚マイコバクテリア感染、非定型マイコバクテリア感染及びマイコバクテリア症の感染症の治療用の医薬の製造のための、請求項１〜４のいずれか１項に記載の式（Ｉ）の化合物の使用。
【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
（a）１種又は複数種の活性剤及び１種又は複数種の腸溶性物質を含有するコア層、（ｂ）１種又は複数種の膨潤性、侵食性又はゲル化性ポリマーを含有する１又は複数のバリヤー層、及び（ｃ）少なくとも１つの層中の腸溶性物質を含有する固体状の徐放性経口投与用多層配合剤であって、患者へ投与されて胃腸管へ達したときのｐHの変化に応答して、活性剤を上昇性放出速度で放出させる該配合剤。
【請求項２】
１種又は複数種の活性剤が、下記の群から選択される活性剤である請求項１記載の配合剤。：
睡眠薬、鎮静薬、精神安定薬、鎮痙薬、筋弛緩薬、鎮痛薬、抗炎症薬、麻酔薬、抗痙攣薬、抗潰瘍薬、駆虫薬、抗菌薬、抗真菌薬、心臓血管薬、利尿薬、細胞増殖抑制剤、抗腫瘍薬、抗ウイルス薬、抗緑内障薬、抗鬱薬、交感神経刺激薬、血糖低下薬、診断薬、抗咳薬、医学的精神賦活薬、抗パーキンソン病薬、局所麻酔薬、筋収縮薬、抗マラリア薬、ホルモン薬、避妊薬、食欲抑制薬、抗関節炎薬、抗糖尿病薬、抗高血圧薬、解熱薬、抗コリン作用薬、気管支拡張薬、中枢神経系薬、陽性変力薬、血管拡張薬、血管収縮薬、充血除去薬、造血薬、電解質補充剤、殺菌薬、副交感神経遮断薬、副交感神経興奮薬、制吐薬、精神刺激薬、ビタミン、ベータ遮断薬、H-2遮断薬、ベータ−２作動薬、反対刺激薬、凝固調節薬、興奮薬、抗ホルモン、薬物−拮抗薬、脂質−調節薬、尿酸排泄薬、強心薬グリコシド、バッカク及びその誘導体、去痰薬、筋弛緩薬、抗ヒスタミン薬、下剤、造影剤、放射性医薬、撮像剤、抗アレルギー剤、及びこれらの混合物。
【請求項３】
１種又は複数種の活性剤の濃度が、配合剤の重量の約０．１〜約９０重量％、約０．５〜約２０重量％、又は約１〜約１０重量％である請求項１記載の配合剤。
【請求項４】
１種又は複数種の腸溶性物質が下記の群から選択される請求項１記載の配合剤：
セルロースアセテートフタレート、アルギネート、アルカリ可溶性アクリル樹脂、ヒドロキシプロピルメチルセルロースフタレート、メタクリレート−メタクリル酸コポリマー、ポリビニルアセテートフタレート、スチロール−マレイン酸コポリマー、及びこれらの混合物。
【請求項５】
１種又は複数種の腸溶性物質の濃度が、配合剤の重量の約０．１〜約２０重量％、約１〜約１５重量％、又は約５〜約１０重量％である請求項１記載の配合剤。
【請求項６】
コア層又は中心層が、カルシウムチャンネル遮断薬の放出を調整する１種又は複数種の非腸溶性ポリマー物質をさらに含有する請求項１記載の配合剤。
【請求項７】
１種又は複数種の非腸溶性ポリマー物質が下記の群から選択されるポリマーである請求項６記載の配合剤：
架橋ポリビニルピロリドン、ヒドロキシプロピルメチルセルロース、ヒドロキシプロピルセルロース、架橋ナトリウムカルボキシメチルセルロース、カルボキシメチルデンプンアクリル酸とメタクリル酸のポリマーとコポリマー、ポリエステル、酸無水物ポリマー、ポリメチルビニルエーテル／酸無水物コポリマー、メタクリル酸カリウム−ジビニルベンゼンコポリマー、ポリビニルアルコール、グルカン、スクレログルカン、マンナン、デンプンとその誘導体、β−シクロデキストリン、線状及び／又は分枝状ポリマー鎖を有するシクロデキストリン誘導体、及びこれらの混合物。
【請求項８】
カルシウムチャンネル遮断薬の放出を調整する１種又は複数種のポリマー物質が、コア層の重量の約１〜約９０重量％、又は約１０〜約４５重量％の濃度で存在する請求項７記載の配合剤。
【請求項９】
１種又は複数種の膨潤性、侵食性又はゲル化性ポリマーが下記の群から選択されるポリマーである請求項１記載の配合剤：
ヒドロキシプロピルメチルセルロース、カルボキシビニルポリマー、ポリビニルアルコール、グルカン、スクレログルカン、マンナン、キサンタン、アルギネートとその誘導体、酸無水物ポリマー、ポリアミノ酸、メチルビニルエーテル／無水マレイン酸コポリマー、カルボキシメチルセルロースとその誘導体、エチルセルロース、メチルセルロース、その他のセルロース誘導体、及びこれらの混合物。
【請求項１０】
１種又は複数種の膨潤性、侵食性及び／又はゲル化性ポリマーが、バリヤー層の重量の約５〜約９０重量％、又は約２５〜約７５重量％の濃度で存在する請求項１記載の配合剤。
【請求項１１】
ポリマーがヒドロキシプロピルメチルセルロースである請求項１０記載の配合剤。  
【請求項１２】
コア層及び／又はバリヤー層が下記の群から選択される１種又は複数種の賦形剤をさらに含有する請求項１記載の配合剤：
可塑剤、希釈剤、結合剤、潤滑剤、界面活性剤、ｐＨ調整剤、付着防止剤、崩壊剤、充填剤、顔料、着色剤、安定剤、調味剤、滑剤及びこれら混合物。
【請求項１３】
錠剤又は小キャップの形態を有する請求項１記載の配合剤。
【請求項１４】
中心層及び／又はバリヤー層が、活性剤の放出をさらに調整する補助剤であって、下記の群から選択される１種又は複数種の該補助剤をさらに含有する請求項１記載の配合剤：
グリセリルモノステアレート、トリグリセリド誘導体、半合成グリセリド、水素化ヒマシ油、グリセリルパルミトステアレート、セチルアルコール、ポリビニルピロリドン、グリセロール、エチルセルロース、メチルセルロース、ナトリウムカルボキシメチルセルロース、ステアリン酸マグネシウム、ステアリン酸、タルク、安息香酸ナトリウム、ホウ酸、ポリオキシエチレングリコール、コロイドシリカ、及びこれらの混合物。
【請求項１５】
活性剤の放出を調整する１種又は複数種の被覆剤をさらに含有する請求項１記載の配合剤。
【請求項１６】
１種又は複数種の被覆剤が、即時放出性被覆剤、味覚隠蔽性被覆剤、持続放出性被覆剤、腸溶性被覆剤、遅延放出性被覆剤、及びこれらの混合被覆剤から成る群から選択される被覆剤である請求項１５記載の配合剤。
【請求項１７】
心臓血管障害を処置する方法であって、該処置を必要とする患者へ請求項１から１６いずれかに記載の配合剤を投与することを含む該方法。
【手続補正２】
【補正対象書類名】明細書
【補正対象項目名】０１４９
【補正方法】削除
【補正の内容】
【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
ａ）２，０００〜１００，０００ｇ／ｍｏｌの分子量、又は０．３ｄｌ／ｇ未満の還元比粘度を有するポリアミドアミン−エピハロヒドリンポリマー、および、
ｂ）タンパク質またはリグニン、
を含み、ａ）とｂ）との重量比が、１００：０．１〜０．１：１００である組成物。
【請求項２】
ａ）２，０００〜１００，０００ｇ／ｍｏｌの分子量、又は０．３ｄｌ／ｇ未満の還元比粘度を有するポリアミドアミン−エピハロヒドリンポリマー、および、
ｂ）タンパク質またはリグニン、
を含み、ａ）とｂ）との重量比が、１００：０．１〜０．１：１００である接着剤組成物。
【請求項３】
請求項１に記載の組成物によって互いに接着した木材製品。
【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
少なくとも一つのプラスチックの粒子および少なくとも一つの熱可塑性エラストマーの粒子の焼結混合物を含む焼結多孔質高分子材料であって、該焼結多孔質高分子材料が２０％〜８０％の範囲の気孔率および５ポンド未満の剛性を有し、該少なくとも一つのプラスチックがポリエチレン、ポリプロピレン、ポリアミド、ポリエステル、ポリカーボネート、ポリメチルメタクリレート、ポリフッ化ビニリデン、ポリテトラフルオロエチレン、ポリエーテルスルホン、ポリスチレン、ポリエーテルイミド、ポリエーテルエーテルケトン、およびポリスルホン、ならびにその組み合わせからなる群より選択される、焼結多孔質高分子材料。
【請求項２】
ポリエチレンが高密度ポリエチレンまたは超高分子量ポリエチレンを含む、請求項１に記載の焼結多孔質高分子材料。
【請求項３】
少なくとも一つの熱可塑性エラストマーの粒子が、10重量パーセントから90重量パーセントの範囲で含まれる、請求項１または２に記載の焼結多孔質高分子材料。
【請求項４】
1μmから200μmの範囲の平均細孔径を有する、請求項１〜３のいずれか１項に記載の焼結多孔質高分子材料。
【請求項５】
柔軟領域および硬質領域を含む連続焼結多孔質高分子材料であって、
該柔軟領域が第一のプラスチックの粒子および少なくとも一つの熱可塑性エラストマーの粒子の焼結混合物を含み、
該硬質領域が第二のプラスチックの焼結粒子を含み、
該第一のプラスチックおよび該第二のプラスチックは独立して、ポリエチレン、ポリプロピレン、ポリアミド、ポリエステル、ポリカーボネート、ポリメチルメタクリレート、ポリフッ化ビニリデン、ポリテトラフルオロエチレン、ポリエーテルスルホン、ポリスチレン、ポリエーテルイミド、ポリエーテルエーテルケトン、およびポリスルホン、ならびにその組み合わせからなる群より選択される、連続焼結多孔質高分子材料。
【請求項６】
柔軟領域が２０％〜８０％の範囲の気孔率を有する、請求項５に記載の焼結多孔質高分子材料。
【請求項７】
柔軟領域が1μmから200μmの範囲の平均細孔径を有する、請求項５または６に記載の焼結多孔質高分子材料。
【請求項８】
少なくとも一つの熱可塑性エラストマーが熱可塑性ポリウレタン、ポリイソブチレン、ポリブテン、ポリエチレン-プロピレン共重合体、ポリエチレン-ブテン共重合体、ポリエチレン-オクテン共重合体、ポリエチレン-ヘキセン共重合体、塩素化ポリエチレン、クロロ-スルホン化ポリエチレン、スチレン-エチレン-ブタジエン-スチレン、および1,3-ジエン、ならびにそれらの組み合わせからなる群より選択される請求項１〜７のいずれか１項に記載の焼結多孔質高分子材料。
【請求項９】
1,3-ジエンが、スチレン-1,3-ブタジエン、カルボキシル化スチレン-1,3-ブタジエン、アクリロニトリル-1,3-ブタジエン、またはイソブチレン-イソプレンまたはその組み合わせを含む、請求項８に記載の焼結多孔質高分子材料。
【請求項１０】
請求項１〜９のいずれか１項に記載の焼結多孔質高分子材料を含む組成物。
【請求項１１】
さらに少なくとも一つの超吸収性材料を含む、請求項１０に記載の組成物。
【請求項１２】
組成物がアプリケータ、ろ過媒体、またはバリア媒体である請求項１０または１１に記載の組成物。
【請求項１３】
請求項１〜９のいずれか１項に記載の焼結多孔質高分子材料、および請求項１〜９のいずれか１項に記載の焼結多孔質高分子材料と結合された繊維性部品を含むアプリケータ。
【請求項１４】
さらに繊維性部品と結合された貯留槽を含む請求項１３に記載のアプリケータ。
【請求項１５】
繊維性部品が貯留槽である請求項１３に記載のアプリケータ。
【請求項１６】
筐体、および
少なくとも一つのろ過媒体または該筐体に配置された少なくとも一つのバリア媒体を含む装置であって、
該少なくとも一つのろ過媒体および該少なくとも一つのバリア媒体が請求項１〜９のいずれか１項に記載の焼結多孔質高分子材料を含む、装置。
【請求項１７】
筐体が真空ろ過筐体、クロマトグラフィーカラム、ロート、シリンジ、カテーテル、管、ダクト、またはピペットチップを含む請求項１６に記載の装置。
【請求項１８】
少なくとも一つの熱可塑性エラストマーの粒子を準備する工程、
少なくとも一つのプラスチックの粒子を準備する工程、
該プラスチックの粒子および熱可塑性エラストマーの粒子を均一に混合する工程、及び
該プラスチックの粒子および熱可塑性エラストマーの粒子を焼結する工程を含む、
請求項１に記載の焼結多孔質高分子材料の製造方法。
【請求項１９】
少なくとも一つの熱可塑性エラストマーが熱可塑性ポリウレタン、ポリイソブチレン、ポリブテン、ポリエチレン-プロピレン共重合体、ポリエチレン-ブテン共重合体、ポリエチレン-オクテン共重合体、ポリエチレン-ヘキセン共重合体、塩素化ポリエチレン、クロロ-スルホン化ポリエチレン、スチレン-エチレン-ブタジエン-スチレン、および1,3-ジエン、ならびにそれらの組み合わせからなる群より選択される請求項１８に記載の方法。
【請求項２０】
第一のプラスチックの粒子と少なくとも一つの熱可塑性エラストマーの粒子を混合したものを型の第一の部分に配置する工程、
第二のプラスチックの粒子を、型の第一の部分に隣接する型の第二の部分に配置する工程、
第一のプラスチックの粒子、熱可塑性エラストマーの粒子、および第二のプラスチックの粒子を焼結して、第一のプラスチックの粒子および少なくとも一つの熱可塑性エラストマーの粒子の焼結混合物を含む柔軟領域ならびに第二のプラスチック焼結粒子を含む硬質領域を製造する工程、
を含む請求項５の焼結多孔質高分子材料を製造する方法。
【請求項２１】
請求項1の焼結多孔質高分子材料を含むろ過媒体またはバリア媒体を準備する工程、
筐体を準備する工程、および、
筐体にろ過媒体またはバリア媒体を配置する工程を含む装置の製造方法。
【請求項２２】
請求項５の焼結多孔質高分子材料を含むろ過媒体またはバリア媒体を準備する工程、
筐体を準備する工程、および、
筐体にろ過媒体またはバリア媒体を配置する工程を含む装置の製造方法。
【請求項２３】
さらに、柔軟領域と筐体との間に密閉性を形成することを含む請求項２２に記載の方法。
【請求項２４】
前記筐体がピペットチップを含む請求項２２または２３に記載の方法。
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
ポリマー成分を混合し、溶融し、かつ、揮発性成分を除くスクリューシャフト押出機を使用する、揮発性化合物の総残留含量が１ｗｔ．％以下である少なくとも二種類のポリマーの配合方法であって、少なくとも一種類のポリマーが熱に曝すとモノマーまたはオリゴマーを解離し、
（ｉ）該押出機が少なくとも一つの溶融ゾーン、少なくとも二つの脱ガスゾーンおよび共留剤用の少なくとも一つの混合ゾーンを有し、かつ
（ｉｉ）該ポリマー溶融物に導入され、該揮発性化合物と共に該押出機から除去される不活性共留剤を使用して脱ガスを行う
ことを特徴とする、少なくとも二種類のポリマーの配合方法。
【請求項２】
ポリスチレン、ポリスチレンコポリマーまたはポリスチレングラフトコポリマー、ポリアクリレート、ポリアルキレンおよびポリアミドからなる第一群から選択されるポリマー（「解離ポリマー」）並びにポリカーボネート、ポリエステルカーボネートおよびポリアルキレンテレフタレートからなる第二群から選択される少なくとも一種類のポリマー（「非解離ポリマー」）をポリマーとして使用することを特徴とする、請求項１に記載の方法。
【請求項３】
二軸または多軸スクリュー押出機、特に二軸スクリュー押出機、が押出機として使用されることを特徴とする、請求項１または２に記載の方法。
【請求項４】
ポリマー成分の全揮発成分の総含量が１ｗｔ．％以下であるポリマー混合物の製造への、請求項１〜３の一項に記載の方法の使用。
【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
哺乳動物の前立腺癌又は乳癌を治療するための医薬品の製造における、治療上有効な量のビタミンD化合物の使用であって、該医薬品が、治療上有効な量の少なくとも1種の追加の治療薬を加えて投与されるように調製される、前記使用。
【請求項２】
前記ビタミンD化合物が、セオカルシトールを含む、請求項1記載の使用。
【請求項３】
前記治療上有効な量のビタミンD化合物が、約0.001μg/日〜約1000μg/日を含む、請求項1記載の使用。
【請求項４】
前記追加の治療薬が、抗腫瘍薬、アルキル化薬、代謝拮抗薬、抗生物質、ホルモン除去薬、アンドロゲン除去薬、抗アンドロゲン薬、又はステロイドを含む、請求項1記載の使用。
【請求項５】
前記ビタミンD化合物及び前記追加の治療薬が、前記哺乳動物に、該ビタミンD化合物及び該追加の治療薬を含有する単一組成物で投与されるように調製される、請求項1記載の使用。
【請求項６】
前記ビタミンD化合物及び前記追加の治療薬が、前記哺乳動物に別々に投与されるように調製される、請求項1記載の使用。
【請求項７】
前記ビタミンD化合物が、パルス投与で投与されるように調製される、請求項1記載の使用。
【請求項８】
前記医薬品又は化合物が、さらに抗高カルシウム血症薬を加えて投与されるように調製される、請求項1記載の使用。
【請求項９】
前記ビタミンD化合物が、セオカルシトールを含み、かつ前記追加の治療薬が、ミトキサントロン、パクリタキセル、ドセタキセル、リュープロリド、ゴセレリン、トリプトレリン、酢酸アビラテロン、ビカルタミド、フルタミド、ヒドロコルチゾン、プレドニゾン又はデキサメタゾンを含む、請求項1記載の使用。
【請求項１０】
前記治療上有効な量のセオカルシトールが、約0.1μg/日〜約500μg/日を含み、且つ前記治療上有効な量の追加の治療薬が、約0.1mg/m2〜約20mg/m2のミトキサントロンを含む、請求項9記載の使用。
【請求項１１】
前記治療上有効な量のセオカルシトールが、約0.1μg/日〜約500μg/日を含み、且つ前記治療上有効な量の追加の治療薬が、約1mg/m2〜約175mg/m2のパクリタキセルを含む、請求項9記載の使用。
【請求項１２】
前記治療上有効な量のセオカルシトールが、約0.1μg/日〜約500μg/日を含み、且つ前記治療上有効な量の追加の治療薬が、約1mg/m2〜約100mg/m2のドセタキセルを含む、請求項9記載の使用。
【請求項１３】
前記治療上有効な量のセオカルシトールが、約0.1μg/日〜約500μg/日を含み、且つ前記治療上有効な量の追加の治療薬が、約3日〜約12カ月間にわたる約0.01〜約200mgのリュープロリドを含む、請求項9記載の使用。
【請求項１４】
前記治療上有効な量のセオカルシトールが、約0.1μg/日〜約500μg/日を含み、且つ前記治療上有効な量の追加の治療薬が、約28日〜約3カ月間にわたる約0.01mg〜約20mgのゴセレリンを含む、請求項9記載の使用。
【請求項１５】
前記治療上有効な量のセオカルシトールが、約0.1μg/日〜約500μg/日を含み、且つ前記治療上有効な量の追加の治療薬が、約1カ月間にわたる約0.01mg〜約20mgのトリプトレリンを含む、請求項9記載の使用。
【請求項１６】
前記治療上有効な量のセオカルシトールが、約0.1μg/日〜約500μg/日を含み、且つ前記治療上有効な量の追加の治療薬が、約0.4mg/日〜約10,000mg/日の酢酸アビラテロンを含む、請求項9記載の使用。
【請求項１７】
前記治療上有効な量のセオカルシトールが、約0.1μg/日〜約500μg/日を含み、且つ前記治療上有効な量の追加の治療薬が、約1mg/日〜約300mg/日のビカルタミドを含む、請求項9記載の使用。
【請求項１８】
前記治療上有効な量のセオカルシトールが、約0.1μg/日〜約500μg/日を含み、且つ前記治療上有効な量の追加の治療薬が、約1mg/日〜約2000mg/日のフルタミドを含む、請求項9記載の使用。
【請求項１９】
前記治療上有効な量のセオカルシトールが、約0.1μg/日〜約500μg/日を含み、且つ前記治療上有効な量の追加の治療薬が、約10mg/日〜約250mg/日のヒドロコルチゾン又はプレドニゾンを含む、請求項9記載の使用。
【請求項２０】
前記治療上有効な量のセオカルシトールが、約0.1μg/日〜約500μg/日を含み、且つ前記治療上有効な量の追加の治療薬が、約0.5mg/日〜約25mg/日のデキサメタゾンを含む、請求項9記載の使用。
【請求項２１】
前記追加の治療薬が、酢酸アビラテロンを含む、請求項１記載の使用。
【請求項２２】
前記追加の治療薬が、酢酸アビラテロンを含む、請求項３記載の使用。
【請求項２３】
少なくとも1種の癌治療を現在受けている患者の不応性前立腺癌又は不応性乳癌を治療するための医薬品の製造における、治療上有効な量のビタミンD化合物の使用であって、該医薬品が、該患者が現在受けている少なくとも1種の治療薬を加えて投与されるように調製される、前記使用。
【請求項２４】
前記ビタミンD化合物が、セオカルシトールを含む、請求項23記載の使用。
【請求項２５】
前記治療上有効な量のビタミンD化合物が、約0.001μg/日〜約1000μg/日を含む、請求項23記載の使用。
【請求項２６】
前記癌治療が、ミトキサントロン、パクリタキセル、ドセタキセル、リュープロリド、ゴセレリン、トリプトレリン、酢酸アビラテロン、ビカルタミド、フルタミド、ヒドロコルチゾン、プレドニゾン又はデキサメタゾンの投与を含む、請求項23記載の使用。
【請求項２７】
前記癌治療が、酢酸アビラテロンの投与を含む、請求項23記載の使用。
【請求項２８】
前記癌治療が、酢酸アビラテロンの投与を含む、請求項24記載の使用。
【請求項２９】
治療上有効な量のセオカルシトール及び治療上有効な量のステロイドを含む、哺乳動物の癌を治療するための医薬組成物であって、経口投与に適している、前記医薬組成物。
【請求項３０】
約0.1μg〜約500μgのセオカルシトール、及び約0.25mg〜約3.5mgのステロイドを含む、請求項29記載の組成物。
【請求項３１】
前記ステロイドが、ヒドロコルチゾン、プレドニゾン又はデキサメタゾンを含む、請求項29記載の組成物。
【請求項３２】
丸剤、錠剤、又はカプセルの形態である、請求項29記載の組成物。
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
式Ｉａの化合物、
【化１】
2010501572.tif 000001
（式中、各Ｙは独立して水素および重水素から選択され、少なくとも１つのＹは重水素であり、共通の炭素原子に結合された各Ｙは同じである）
またはその塩あるいはその水和物または溶媒和物。
【請求項２】
Ｙ１ａ、Ｙ１ｂおよびＹ１ｃが、同時に重水素である、請求項１に記載の化合物。
【請求項３】
Ｙ２ａおよびＹ２ｂが、同時に重水素である、請求項１または請求項２に記載の化合物。
【請求項４】
Ｙ３ａおよびＹ３ｂが、同時に重水素である、請求項１から請求項３のいずれか１項に記載の化合物。
【請求項５】
Ｙ４ａおよびＹ４ｂが、同時に重水素である、請求項１から請求項４のいずれか１項に記載の化合物。
【請求項６】
Ｙ５ａおよびＹ５ｂが、同時に重水素である、請求項１から請求項５のいずれか１項に記載の化合物。
【請求項７】
以下の表に記載する化合物のうちのいずれか１つから選択された、請求項１に記載の化合物、
【表１】
2010501572.tif 000002
または、前記化合物のいずれか１つのトシレート塩。
【請求項８】
重水素として指定されない任意の原子が、その天然の同位体存在量で存在する、請求項１から請求項７のいずれか１項に記載の化合物。
【請求項９】
請求項１に記載の化合物と、許容できる担体とを含む、発熱物質を含まない組成物であって、前記組成物は薬理学的な投与のために処方されており、前記担体は薬理学的に許容できる担体である、発熱物質を含まない組成物。
【請求項１０】
乳癌、食道腺癌、食道扁平上皮癌、子宮頚癌、頭頚部癌、固形腫瘍、非ホジキンリンパ腫、胃癌、卵巣癌、腹膜癌、脳腫瘍および中枢神経系癌（神経膠腫、多形神経膠芽腫、膠肉腫）、前立腺癌、子宮内膜癌、結腸直腸癌、非小細胞肺癌、肝癌、腎癌、および膵癌を患っているか、またはこれらを起こしやすい状態にある被験体を治療するための製剤であって、請求項９に記載の組成物を含む、製剤。
【請求項１１】
前記被験体が乳癌を患っているか、またはこれらを起こしやすい状態にある、請求項１０に記載の製剤。
【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010501590.tif 000001
［式中、
Ｘ１、Ｘ２、およびＸ３は、同一または異なっており、それぞれＯまたはＳであり；かつ
Ｒ１、Ｒ２、Ｒ３、およびＲ４は、同一または異なっており、それぞれ、水素、Ｃ１−６アルキル、Ｃ２−６アルケニル、Ｃ３−１０シクロアルキル、Ｃ６−３０アリール、およびＣ６−３０アリール−Ｃ１−６アルキルである（ここで、当該アルキル、アルケニル、シクロアルキル、アリール、またはアリールアルキル基は、ハロ、アミノ、ヒドロキシル、アシル、ニトロ、カルボキシ、Ｃ１−６アルキル、カルボキシ−Ｃ１−６アルキル、ヒドロキシ−Ｃ１−６アルキル、またはＣ１−６アルコキシで任意に置換されている；
但し、式（Ｉ）の化合物は、尿酸ではない）である］の化合物を含有する、哺乳動物における酸化的ストレス関連疾患の治療または予防のための医薬組成物。
【請求項２】
酸化的ストレス関連疾患が神経障害である、請求項１に記載の医薬組成物。
【請求項３】
神経障害が、虚血性脳障害、外傷、てんかん、関節炎、呼吸困難、パーキンソン病、ハンチントン病、筋萎縮性側索硬化症、網膜変性、タウオパシー、および認知症から成る群より選ばれる、請求項２に記載の医薬組成物。
【請求項４】
式（Ｉ）： 
【化２】
2010501590.tif 000002
［式中、
Ｘ１、Ｘ２、およびＸ３は、同一または異なっており、それぞれＯまたはＳであり；かつ
Ｒ１、Ｒ２、Ｒ３、およびＲ４は、同一または異なっており、それぞれ、水素、Ｃ１−６アルキル、Ｃ２−６アルケニル、Ｃ３−１０シクロアルキル、Ｃ６−３０アリール、およびＣ６−３０アリール−Ｃ１−６アルキルである（ここで、当該アルキル、アルケニル、シクロアルキル、アリール、またはアリールアルキル基は、ハロ、アミノ、ヒドロキシル、アシル、ニトロ、カルボキシ、Ｃ１−６アルキル、カルボキシ−Ｃ１−６アルキル、ヒドロキシ−Ｃ１−６アルキル、またはＣ１−６アルコキシで任意に置換されている；
但し、式（Ｉ）の化合物は、尿酸ではない）である］の化合物を含有する、哺乳動物における神経障害の治療または予防のための医薬組成物。
【請求項５】
式（Ｉ）： 
【化３】
2010501590.tif 000003
［式中、
Ｘ１、Ｘ２、およびＸ３は、同一または異なっており、それぞれＯまたはＳであり；かつＲ１、Ｒ２、Ｒ３、およびＲ４は、同一または異なっており、それぞれ、水素、Ｃ１−６アルキル、Ｃ２−６アルケニル、Ｃ３−１０シクロアルキル、Ｃ６−１０アリール、およびＣ６−３０アリール−Ｃ１−６アルキルである（ここで、当該アルキル、アルケニル、シクロアルキル、アリール、またはアリールアルキル基は、ハロ、アミノ、ヒドロキシル、アシル、ニトロ、カルボキシ、Ｃ１−６アルキル、カルボキシ−Ｃ１−６アルキル、ヒドロキシ−Ｃ１−６アルキル、またはＣ１−６アルコキシで任意に置換されている；
但し、式（Ｉ）の化合物は、尿酸ではない）である］の化合物を含有する、哺乳動物における創傷治癒の増進のための医薬組成物。
【請求項６】
Ｒ１、Ｒ２、Ｒ３、およびＲ４は、同一または異なっており、それぞれが、水素またはＣ１−６アルキルである（但し、Ｘ１、Ｘ２、およびＸ３が全て酸素である場合、Ｒ１、Ｒ２、Ｒ３、およびＲ４の少なくとも１つは、Ｃ１−６アルキルである）、請求項１〜５のいずれか一項に記載の医薬組成物。
【請求項７】
Ｒ１、Ｒ２、Ｒ３、およびＲ４は、同一または異なっており、それぞれが、水素またはメチルである（但し、Ｘ１、Ｘ２、およびＸ３が全て酸素である場合、Ｒ１、Ｒ２、Ｒ３、およびＲ４の少なくとも１つは、メチルである）、請求項１〜６のいずれか一項に記載の医薬組成物。
【請求項８】
１つ、２つ、または３つ全てのＸ１、Ｘ２、およびＸ３が硫黄である、請求項１〜７のいずれか一項に記載の医薬組成物。
【請求項９】
Ｒ１、Ｒ２、Ｒ３、およびＲ４が水素である、請求項１〜８のいずれか一項に記載の医薬組成物。
【請求項１０】
式（Ｉ）の化合物が、
【化４】
2010501590.tif 000004
から成る群より選ばれる、請求項１〜７のいずれか一項に記載の医薬組成物。